(57)【特許請求の範囲】
【請求項１】
棚板を支持すべき棚柱を、断熱箱の内壁を構成する板金に取り付ける構造であって、
前記棚柱に設定された取付部と、この取付部と対向した前記板金の取付面には、それぞれリベット孔が軸線方向に隙間を設けた形態で整合して形成され、
一端にリベット頭を設けた筒形をなす本体内に芯線が挿通されて、同芯線の先端に設けられた頭部が前記本体の他端に係止された状態で組み付けられた構造のリベットが設けられ、
このリベットが前記棚柱側から両リベット孔に挿通され、前記リベット頭が前記棚柱側のリベット孔の孔縁に当てられた状態から前記芯線が引っ張られることに伴い、同芯線が切断されつつ前記本体の他端側に前記板金側のリベット孔の孔縁に係止する新たなリベット頭がかしめ形成されるようになっており、
前記板金側のリベット孔の孔縁が、前記棚柱が当てられる側とは反対の面側に予め打ち出されていることを特徴とする棚柱の取付構造。
【請求項２】
前記棚柱側のリベット孔の孔縁が、前記板金側のリベット孔の孔縁の打ち出し部分と重なるように予め同じ向きに打ち出されていることを特徴とする請求項１記載の棚柱の取付構造。
【発明の詳細な説明】
【０００１】
【発明の属する技術分野】
本発明は、冷蔵庫等の断熱箱体の内箱に棚柱を取り付ける構造に関する。
【０００２】
【従来の技術】
従来、冷蔵室の壁面を構成する内箱に棚柱を取り付ける構造の一例として、以下のようなものが知られている。
図１０（Ａ）に示すように、棚柱１は、台形の両裾を外側に張り出したような断面形状に形成され、長さ方向の適宜間隔を開けた位置ごとに、先窄みの筒形をなす取付部２が凹み形成されて、その底面側の開口がリベット孔３とされている一方、相手の内箱４にもリベット孔５が対応して形成され、両リベット孔３，５にリベット６が打ち込まれる。
【０００３】
より具体的にはこのリベット６は、一端にリベット頭７Ａを設けた筒形をなすアルミニウム製の本体７内に鉄製の芯線８が挿通されて、その先端の頭部８Ａが本体７におけるリベット頭７Ａを設けた側とは反対側の端部に係止された状態で組み付けられている。そして、このリベット６を専用の工具に組み付けて、棚柱１と内箱４のリベット孔３，５に挿通し、その後芯線８を引っ張ると、図１０（Ｂ）に示すように、芯線８が途中で切断されつつその頭部８Ａが本体７の他端をかしめて新たにリベット頭７Ｂを形成し、両リベット頭７Ａ，７Ｂの間で棚柱１の取付部２の底部と内箱４とが挟み付けられて、棚柱１が内箱４に取り付けられるようになっている。
【０００４】
【発明が解決しようとする課題】
しかしながら従来のものでは、リベット６の芯線８が引っ張られて新たなリベット頭７Ｂがかしめ形成される際、上記の図１０（Ｂ）に示すように、内箱４のリベット孔５の孔縁５Ａがそのかしめ力を受けて棚柱１側に曲がるように変形する可能性がある。そうすると、例えば重い貯蔵物が棚に載せられて、図１１の矢線に示すように、棚柱１に対して内箱４から引き離す方向に過大な力が作用した場合、内箱４のリベット孔５の孔縁５Ａを比較的簡単に開いて、リベット頭７Ｂが抜けてしまうおそれがあった。
本発明は上記のような事情に基づいて完成されたものであって、その目的は、棚柱の取付強度を増大させるところにある。
【０００５】
【課題を解決するための手段】
上記の目的を達成するための手段として、請求項１の発明は、棚板を支持すべき棚柱を、断熱箱の内壁を構成する板金に取り付ける構造であって、前記棚柱に設定された取付部と、この取付部と対向した前記板金の取付面には、それぞれリベット孔が軸線方向に隙間を設けた形態で整合して形成され、一端にリベット頭を設けた筒形をなす本体内に芯線が挿通されて、同芯線の先端に設けられた頭部が前記本体の他端に係止された状態で組み付けられた構造のリベットが設けられ、このリベットが前記棚柱側から両リベット孔に挿通され、前記リベット頭が前記棚柱側のリベット孔の孔縁に当てられた状態から前記芯線が引っ張られることに伴い、同芯線が切断されつつ前記本体の他端側に前記板金側のリベット孔の孔縁に係止する新たなリベット頭がかしめ形成されるようになっており、前記板金側のリベット孔の孔縁が、前記棚柱が当てられる側とは反対の面側に予め打ち出されている構成としたところに特徴を有する。
請求項２の発明は、請求項１に記載のものにおいて、前記棚柱側のリベット孔の孔縁が、前記板金側のリベット孔の孔縁の打ち出し部分と重なるように予め同じ向きに打ち出されているところに特徴を有する。
【０００６】
【発明の作用及び効果】
＜請求項１の発明＞
板金側のリベット孔の孔縁が、予め棚柱が当てられる側とは反対の裏側に打ち出されているから、リベットがかしめられた際に、板金側のリベット孔の孔縁が表側に変形することが防がれる。その結果、棚柱に対して板金から引き離す方向の過大な力が作用した場合でも、リベット孔の孔縁がリベット頭に対する強固な引っ掛かりとして機能して、リベット頭が抜け出ることが防がれる。もって、棚柱の板金に対する取付強度を高めることができる。
【０００７】
またリベットをかしめる手順として、工具に組み付けたリベットをまず棚柱のリベット孔に挿入し、次に棚柱を板金に当てつつリベットを板金側のリベット孔に挿入してかしめる方法があるが、棚柱に先に差し込まれたリベットを板金のリベット孔に改めて差し込む場合には、板金側のリベット孔は棚柱の陰に隠れて目視できないことから、探し当てるのに手間取り、また探し当てるまでの間に板金の表面にいたずらに傷を付けるおそれがある。
その点この発明では、板金のリベット孔の孔縁が裏側に凹んだ状態にあるから、リベットの先が凹みで案内される等、比較的早期にリベット孔を探してリベットを差し込むことができ、もってかしめの作業能率が向上し、また板金の表面を傷付けることも極力避けられる。
【０００８】
＜請求項２の発明＞
リベットのかしめが行われる際、板金側のリベット孔の孔縁の表側の空間が、棚柱のリベット孔の孔縁で塞がれた状態となるから、板金側のリベット孔の孔縁が表側に変形することがより確実に防がれる。
また、棚柱と板金のリベット孔の孔縁が同じ向きで打ち出されていることにより、その凹凸を合わせることで両者のリベット孔の位置合わせを簡単に行うことができる。
【０００９】
【発明の実施の形態】
以下、本発明の実施形態を添付図面に基づいて説明する。
＜第１実施形態＞
本発明の第１実施形態を図１ないし図５によって説明する。この実施形態では、図１に示すように、冷蔵庫における冷蔵室１０の壁面に棚柱２０を取り付ける場合を例示している。
冷蔵室１０の壁面は断熱箱体の内箱１１によって構成されており、冷蔵室１０の奥壁や側壁の所定位置に棚柱２０が縦向きに取り付けられる。
【００１０】
棚柱２０は、ステンレス鋼板等をプレス成形して形成されており、断面台形の本体部２１の両裾から当て板２２を張り出して設けた縦長形状に形成されている。本体部２１の表面には、棚を支持すべく棚受金（図示せず）を着脱可能に掛止する掛止孔２３が、複数個所定のピッチで開口されている。
また、本体部２１の表面における長さ方向に沿った適宜間隔を開けた位置ごとには、取付部２５が裏面側に打ち出されて形成されている。この取付部２５は、図２にも示すように、突出端に向かう程径が小さくなった漏斗状をなし、突出端は裾に至るよりも少し手前に留まっている。また突出端の開口が、棚柱２０側のリベット孔２６となっている。
【００１１】
一方、内箱１１における棚柱２０を取り付ける面１２には、複数のリベット孔１３が、上記した棚柱２０側のリベット孔２６と対応して形成されている。
そしてこの内箱１１側のリベット孔１３の孔縁１４には予め打ち出し加工が施され、棚柱２０の取り付けられる側と反対の裏面側に屈曲形成されている。
なお、両リベット孔２６，１３に通されてかしめられるリベット３０は、図２に示すように、一端にリベット頭３１を設けた筒形をなすアルミニウム製の本体３２内に鉄製の芯線３３が挿通されて、その先端の頭部３４が本体３２におけるリベット頭３１を設けた側とは反対側の端部の係止凹部３５に係止された状態で組み付けられた構造となっている。
【００１２】
続いて、第１実施形態の取付手順を説明する。まず、リベット３０を専用の工具（図示せず）に取り付けて、図３に示すように、棚柱２０の表面側からリベット孔２６に挿通する。次に図４に示すように、棚柱２０の当て板２２を内箱１１の取付面１２に当てつつ、棚柱２０の裏面側に突出したリベット３０の先端を、その取付面１２に形成された対応するリベット孔２６に挿通する。このとき、他の部位においてもリベット孔２６，１３同士を整合させておく。
次に、工具を操作して芯線３３を引っ張ると、図５に示すように、芯線３３が途中で切断されつつその頭部３４が本体３２の他端側をかしめて新たにリベット頭３６を形成し、両リベット頭３１，３６の間で、棚柱２０の取付部２５の底部と内箱１１の取付面１２とが挟み付けられて固定される。他の取付部位においても同様にリベット３０のかしめにより固定される。
【００１３】
ここで、リベット３０の芯線３３が引っ張られて新たなリベット頭３６がかしめ形成される際、内箱１１側のリベット孔１３の孔縁１４が、棚柱２０側（表面側）に曲がるようなかしめ力を受ける。しかしながらこの実施形態では、内箱１１側のリベット孔１３の孔縁１４が、予め棚柱２０が当てられる側とは反対の裏面側に打ち出されているから、リベット３０がかしめられた際にも、リベット孔１３の孔縁１４は、多少平らになる方向に変形するかも知れないが、表面側に折れ曲がるようなことはなく、裏面側に反り返った状態に留められる。
その結果、図５の矢線に示すように、棚柱２０に対して内箱１１の取付面１２から引き離す方向に過大な力が作用した場合でも、リベット孔１３の孔縁１４がリベット頭３６に対する強固な引っ掛かりとして機能して、リベット頭３６が内箱１１の表面側に抜け出ることが防がれる。もって、棚柱２０の内箱１１に対する取付強度を高めることができる。
【００１４】
また、工具に組み付けたリベット３０を棚柱２０のリベット孔２６に挿入したのち、これを内箱１１のリベット孔１３に差し込む際、内箱１１のリベット孔１３は棚柱２０の陰に隠れるから探し当てる必要があるが、上記のようにリベット孔１３の孔縁１４が裏面側に凹んだ状態に形成されているから、リベット３０の先端が凹みで案内されて、比較的早期にリベット孔１３を探し出すことができ、トータルしてかしめ作業の能率が上げられる。また、リベット孔１３を探す間に、リベット３０の先端（主に芯線３３の頭部３４）で内箱１１の表面を叩く回数が減り、内箱１１の表面をいたずらに傷付けることが避けられる。
なお、内箱１１のリベット孔１３の孔縁１４を打ち出し加工するのは、リベット孔１３の孔開けの工程と併せて行うことができ、すなわち製造設備や工程の変更が最小限で済んで、安価に対応することができる。
【００１５】
＜第２実施形態＞
次に、本発明の第２実施形態を図６ないし図９に基づいて説明する。この第２実施形態では、内箱１１側の構造は上記第１実施形態と同様である反面、棚柱４０側のリベット孔４４を形成する部分について変更が加えられている。
第２実施形態の棚柱４０では、図６に示すように、本体部４１の表面における長さ方向に沿った適宜間隔を開けた位置ごとに、１／３程度の高さに凹んだ取付部４３が形成され、この取付部４３の底面の中心にリベット孔４４が開口されている。そして、このリベット孔４４の孔縁４５は、内箱１１のリベット孔１３の孔縁１４と同じ角度で裏面側に打ち出し加工されている。また、リベット孔４４の孔縁４５の突出端は、当て板４２よりもさらに裏面側に突出している。
なお、リベット３０は、上記第１実施形態に用いたものと同様である。
【００１６】
第２実施形態の取付手順は以下のようである。まず、図７に示すように、棚柱４０の当て板４２を内箱１１の取付面１２に当てつつ、棚柱４０と内箱１１のリベット孔４４，１３同士を合わせる。続いてリベット３０を工具に取り付けて、図８に示すように、棚柱４０の表面側から両リベット孔４４，１３に挿通する。次に、工具を操作して芯線３３を引っ張ると、図９に示すように、芯線３３が途中で切断されつつその頭部３４が本体３２の他端側をかしめて新たにリベット頭３６を形成し、両リベット頭３１，３６の間で、棚柱４０の取付部４３の底面と内箱１１の取付面１２とが挟み付けられて固定される。他の取付部位においても同様にリベット３０のかしめにより固定される。
【００１７】
ここで、リベット３０の芯線３３が引っ張られて新たなリベット頭３６がかしめ形成される際、内箱１１側のリベット孔１３の孔縁１４が、棚柱４０側（表面側）に曲がるようなかしめ力を受ける。しかしながらこの第２実施形態では、内箱１１側のリベット孔１３の孔縁１４が裏面側に打ち出されていることに加え、棚柱４０側のリベット孔４４の孔縁４５も重なるように同じ向きに打ち出されているから、かしめ力が両孔縁１４，４５で受けられて、内箱１１のリベット孔１３の孔縁１４が表面側に折れ曲がることが、より確実に防止される。
【００１８】
また、棚柱４０を内箱１１の取付面１２に当てる際、棚柱４０側のリベット孔４４の孔縁４５の裏面に突出した部分を、内箱１１側のリベット孔１３の孔縁１４の表面の凹んだ部分に嵌めることによって、リベット孔４４，１３の位置合わせを簡単に行うことができる。
さらに、棚柱４０のリベット孔４４の孔縁４５を打ち出し加工するのは、既存の技術を用いて行えるから、同様に安価に対応することができる。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、各種貯蔵庫の壁面を構成する板金に棚柱をリベットにより取り付ける場合全般について、広く適用することができる。
【図面の簡単な説明】
【図１】本発明の第１実施形態に係る棚柱の取付部分を示す斜視図
【図２】取付前の状態の断面図
【図３】リベットを棚柱のリベット孔に挿入した状態の断面図
【図４】リベットのかしめ前の断面図
【図５】リベットのかしめ完了後の断面図
【図６】本発明の第２実施形態に係る取付前の状態の断面図
【図７】棚柱を内箱に当てた状態の断面図
【図８】リベットのかしめ前の断面図
【図９】リベットのかしめ完了後の断面図
【図１０】従来のリベットのかしめ工程を示す断面図
【図１１】そのリベット頭の外れが生じた状態を示す断面図
【符号の説明】
１０…冷蔵室  １１…内箱  １２…取付面  １３…リベット孔  １４…（リベット孔１３の）孔縁  ２０…棚柱  ２５…取付部  ２６…リベット孔  ３０…リベット  ３１，３６…リベット頭  ３３…芯線  ４０…棚柱  ４３…取付部  ４４…リベット孔  ４５…（リベット孔４４の）孔縁
【図１】
0004364979.tif 000002
【図２】
0004364979.tif 000003
【図３】
0004364979.tif 000004
【図４】
0004364979.tif 000005
【図５】
0004364979.tif 000006
【図６】
0004364979.tif 000007
【図７】
0004364979.tif 000008
【図８】
0004364979.tif 000009
【図９】
0004364979.tif 000010
【図１０】
0004364979.tif 000011
【図１１】
0004364979.tif 000012